(57)【特許請求の範囲】
【請求項１】
誘電体フィルム長手方向に沿って相対的な小面積分割状態で展開する小面積電極列領域と誘電体フィルム長手方向に沿って連続状態または相対的な大面積分割状態で展開する大面積電極列領域とのセットが誘電体フィルム幅方向に沿って繰り返し配列され、
かつ、前記小面積電極列領域の各分割電極を区画形成して互いに対向する一対の絶縁スリットの端部どうしが互いに近接することで、前記各分割電極の前記誘電体フィルム幅方向における端部は中央部に比べて狭幅に形成され、前記絶縁スリットの端部どうし間に金属蒸着膜によるヒューズが形成され、
前記小面積電極列領域の各分割電極は、前記ヒューズを介する状態で、前記大面積電極列領域が当該小面積電極列領域の前記誘電体フィルム幅方向両側にある状態ではこの両側の大面積電極列領域に対して、また、前記大面積電極列領域が当該小面積電極列領域の前記誘電体フィルム幅方向片側のみにある状態ではその片側の大面積電極列領域に対して、電気的に接続されて蒸着電極が構成され、
この蒸着電極が誘電体フィルムの少なくとも片面に形成され、
前記小面積電極列領域において、前記分割電極を区画する複数の前記絶縁スリットは、その線幅が相対的に狭幅の狭幅絶縁スリットと相対的に広幅の広幅絶縁スリットとの組み合わせであり、
かつ、前記広幅絶縁スリットは、前記小面積電極列領域において前記誘電体フィルム長手方向に沿って隣接する複数の分割電極の集合体を挟むピッチで配列されていることを特徴とするコンデンサ素子用の金属化フィルム。
【請求項２】
前記広幅絶縁スリットは、前記小面積電極列領域における前記分割電極が前記誘電体フィルム長手方向に沿って少なくとも３つ以上隣接する分割電極の集合体を挟むピッチで配列されている請求項１に記載のコンデンサ素子用の金属化フィルム。
【請求項３】
前記蒸着電極がアルミニウム、亜鉛またはそれらの合金からなり、電極引き出し接続部の電極厚みが他領域の電極厚みよりも厚肉に構成されている請求項１または請求項２に記載のコンデンサ素子用の金属化フィルム。
【請求項４】
請求項１ないし請求項３のいずれかに記載のコンデンサ素子用の金属化フィルムを２枚重ね合わせて一対の金属化フィルムを構成した金属化フィルムコンデンサにおいて、
前記一対の金属化フィルムのうち一方の金属化フィルムにおける前記大面積電極列領域のすべてが他方の金属化フィルムにおける前記小面積電極列領域に対向することを特徴とする金属化フィルムコンデンサ。
【発明の詳細な説明】
【技術分野】
【０００１】
本発明はコンデンサ素子用の金属化フィルムの蒸着パターンに関する。
【背景技術】
【０００２】
ハイブリッド車（ＨＶ）、電気自動車（ＥＶ）、燃料電池自動車（ＦＣＶ）や産業機械に用いられる金属化フィルムコンデンサの技術分野においては、小型・軽量化、低コスト化のために誘電体フィルムの厚みを薄くすることが求められている。誘電体フィルムの薄膜化に当たっては耐電圧性能の向上が求められ、そのための手段として、材料の改良とともに、誘電体フィルム上に形成される蒸着電極の蒸着パターンの改良が行われている。当然のことながら、誘電体フィルムを薄膜化しても、耐電圧性能、保安性能ともに、従前同等以上の性能を確保する必要がある。
【０００３】
誘電体フィルムの薄膜化を具現化する主な手段として、（１）フィルム材料の改良・改質と、（２）蒸着仕様（蒸着パターン・蒸着膜抵抗）の最適化の２点が挙げられる。中でも、重要なノウハウになるのが蒸着パターン設計であり、耐電圧性能を向上させるには、分割電極面積をより小さくすることで容量減少速度を緩やかにする手法が一般的である。
【０００４】
金属化フィルムコンデンサは、金属化フィルムの絶縁破壊により、周辺の蒸着金属が飛散することで絶縁破壊部の絶縁を回復させる（自己回復機能（セルフヒーリング動作））。周囲の蒸着電極が飛び散ってなくなってしまうので、そこで絶縁破壊の進行がストップし、絶縁が回復される。しかし、絶縁破壊数が増える高温・高電圧では自己回復機能が充分に得られないために、コンデンサがショートモードに陥るおそれがある。つまり、誘電体フィルム上に蒸着金属膜を有する金属化フィルムが積層・巻回されてなる金属化フィルムコンデンサにおいては、蒸着金属の飛散が不充分であると、誘電体フィルムの破壊箇所を介して積層２層の蒸着金属どうしが導通してしまう。
【０００５】
そこで、複数の分割電極とヒューズからなる保安機構が考案された。金属化フィルムにおいて分割電極を形成すると、金属化フィルムの自己回復機能を超えた絶縁破壊を起こした場合でも、周囲の分割電極から絶縁破壊を起こした分割電極に電流が流れ込み、ヒューズの蒸着金属を飛散させるヒューズ動作により、絶縁破壊を起こした分割電極を他の分割電極から切り離して絶縁を回復させ、高い安全性を確保できる。
【０００６】
ところで、分割電極の面積を小さくするほどヒューズ動作による容量減少を抑制することができ、コンデンサの長寿命化が可能になる。しかし、細分化し過ぎると、ヒューズに流れ込む電流が小さくなり、絶縁破壊を起こした場合にヒューズ動作がしにくくなって、コンデンサの安全性が低下する。この現象は温度が高くなるほど顕著になる。
【０００７】
また、分割電極の面積を小さくするとヒューズの数が増加することになるが、ヒューズは分割電極と比較して高抵抗であるため、コンデンサの発熱が増加する。このような自己発熱の増加は、耐電圧性能や保安性能が低下する原因となる。特に金属化フィルムを巻回または積層してなるコンデンサ素子の中心は自己発熱により温度上昇が激しく、他の部分よりも耐電圧性能や保安性能が劣化する。
【０００８】
そこで、誘電体フィルム長手方向（以下、単に「フィルム長手方向」という）に沿って相対的な小面積分割状態で展開する小面積電極列領域とフィルム長手方向に沿って連続状態または相対的な大面積分割状態で展開する大面積電極列領域とを集約配置する手段が考案されている（例えば特許文献１参照）。そのコンデンサ素子用の金属化フィルムでは、絶縁マージン側に絶縁スリットによって区画された複数の分割電極が設けられ、電極引き出し部（メタリコン）側に大面積電極列領域が設けられている。
【０００９】
さらに、前記の小面積電極列領域と大面積電極列領域のセットとして、このセットが誘電体フィルム幅方向（以下、単に「フィルム幅方向」という）に沿って繰り返し配列され、かつ、小面積電極列領域の各分割電極が絶縁スリットの切れ目における金属蒸着膜によるヒューズを介する状態で電気的に接続されて蒸着電極が構成されたコンデンサ素子用の金属化フィルムが開発されている。
【００１０】
大面積電極列領域・小面積電極列領域のセットの繰り返しパターンについては、コンデンサ素子の小型化、耐電圧性能の向上、扁平加工性の向上、高扁平性、保安性能の向上、有効電極面積比率（静電容量）の向上など様々な観点から種々の研究がなされている。
【００１１】
耐電圧性能の向上を図る手段のひとつに分割電極の小面積化がある。しかし、これは絶縁スリットの数・面積ひいてはマスキングオイルの残渣面積の増加を招く。オイル残渣が増えると、扁平化の際にフィルム間の摩擦係数が増大し、金属化フィルムの滑り性が悪化し、扁平加工性を阻害する。結果、コンデンサ素子の内部に小さな空洞であるス（鬆）が発生したり、金属化フィルムの各層にしわ・歪が生じたりする。すると、電圧印加時に静電容量変化を招いたり、“鳴き”と称する作動音（うなり）が増大してしまう。
【００１２】
一方、オイル残渣を減らすべく絶縁スリットの線幅を細くすると、保安機能の発動によって他の分割電極群から絶縁分離された不具合発生原因となる分割電極と隣接する分割電極との間で絶縁スリットを越えて放電現象が発生することになってしまう。
【００１３】
金属化フィルムコンデンサは、絶縁マージン側に複数の分割小電極を設ける一方、電極引き出し部側に非分割大電極部が設けているため、金属化フィルム上の絶縁スリットの位置が幅方向において大きく偏っていた。その結果、金属化フィルムの滑り性が幅方向において顕著に相違し、金属化フィルムの巻回時、素子巻回状態にばらつきを生じて高温での耐電圧性に影響を及ぼす。
【００１４】
大面積電極列領域・小面積電極列領域のセットの繰り返しパターンの場合には、分割電極部と非分割電極とが金属化フィルムの幅方向に交互に配置されているため、金属化フィルム上の絶縁スリットの位置が幅方向に偏在するのを防止して、金属化フィルムの滑り性を幅方向に平準化することができる。その結果、金属化フィルムの巻回時、素子巻回状態にばらつきが生じるのを抑制して、高温時における良好な耐電圧性を確保することができる。よって、高温（例えば１００℃を超えるような温度）での良好な保安性および耐電圧性を有する金属化フィルムコンデンサを提供することができる。
【００１５】
図８はこのように高温・高電圧下で使用されるゆえに安全性が強く要求されるコンデンサ素子用の金属化フィルムの従来例を示す。図９はその金属化フィルムの一部を拡大して示す平面図である。図８、図９において、１は金属化フィルム、２は誘電体フィルム（蒸着電極の一部を剥がした状態を図示）、３は蒸着電極、４は絶縁スリット、５は分割電極、６はヒューズ、７は電極引き出し接続部、８は絶縁マージンである。Ａ１，Ａ２はフィルム長手方向Ｘに沿って連続的に展開される大面積電極列領域（図示例は連続電極領域）、Ｂ１，Ｂ２はフィルム長手方向Ｘに所定の間隔で配列された絶縁スリット４により分割形成された複数の分割電極５を有する小面積電極列領域であり、大面積電極列領域Ａ１と小面積電極列領域Ｂ１とのセット（Ａ１，Ｂ１）と大面積電極列領域Ａ２と小面積電極列領域Ｂ２とのセット（Ａ２，Ｂ２）がフィルム幅方向Ｙに沿って配列されている。この例では、大面積電極列領域・小面積電極列領域のセットの繰り返し配列は２列となっている。フィルム幅方向Ｙの中間部の小面積電極列領域Ｂ１の各分割電極５が絶縁スリット４の切れ目における金属蒸着膜によるヒューズ６，６を介する状態でフィルム幅方向Ｙの両側の大面積電極列領域Ａ１，Ａ２に対して電気的に接続されている。すなわち、小面積電極列領域Ｂ１に対して大面積電極列領域Ａ１，Ａ２がフィルム幅方向Ｙの両側にあり、この両側の大面積電極列領域Ａ１，Ａ２に対して各分割電極５がヒューズ６，６を介して電気的に接続されている。また、フィルム幅方向Ｙの端に位置する小面積電極列領域Ｂ２の各分割電極５が絶縁スリット４の切れ目における金属蒸着膜によるヒューズ６を介する状態でフィルム幅方向Ｙの片側の大面積電極列領域Ａ２に対して電気的に接続されている。すなわち、小面積電極列領域Ｂ２に対して大面積電極列領域Ａ２がフィルム幅方向Ｙの片側にしかなく、この片側の大面積電極列領域Ａ２に対して各分割電極５がヒューズ６を介して電気的に接続されている。
【００１６】
以上のような大面積電極列領域・小面積電極列領域のセットの２組（Ａ１，Ｂ１），（Ａ２，Ｂ２）を有するパターンの蒸着電極３が誘電体フィルム２上に構成される。そして、このような蒸着電極３が誘電体フィルム２の少なくとも片面に形成され、これによって金属化フィルム１が構成される。
【００１７】
図８、図９に示す金属化フィルム１においては、フィルム幅方向Ｙの一方端縁に電極引き出し部（メタリコン）が接続される電極引き出し接続部７が形成され、他方端縁に絶縁マージン８が形成されている。金属化フィルム１の絶縁マージン８側でフィルム長手方向Ｘに沿って一定ピッチで配列された絶縁スリット４はＹ字形に形成されており、このＹ字形の絶縁スリット４の基端部は絶縁マージン８に接続されている。また、フィルム幅方向Ｙのほぼ中央には、Ｙ字形の絶縁スリット４とほぼ同じピッチで、Ｙ字形の絶縁スリット４の配列方向と平行に配列された絶縁スリット４はいわゆるミュラー・リヤー形状に形成されている。ミュラー・リヤー形というのは、所定長さの線分の両端にそれぞれ内向きの矢羽根を有する形状のことである。小面積電極列領域Ｂ１は、ミュラー・リヤー形の絶縁スリット４により蒸着電極膜が分割形成された複数の分割電極５を有している。小面積電極列領域Ｂ２は、Ｙ字形の絶縁スリット４により蒸着電極膜が分割形成された複数の分割電極５を有している。
【００１８】
また、小面積電極列領域Ｂ１の電極引き出し接続部７側には蒸着電極膜がフィルム長手方向Ｘに連続した大面積電極列領域Ａ１が隣接配置されており、小面積電極列領域Ｂ１の絶縁マージン８側（小面積電極列領域Ｂ１と小面積電極列領域Ｂ２の間）には大面積電極列領域Ａ２が隣接配置されている。
【００１９】
小面積電極列領域Ｂ１における分割電極５は、電極引き出し接続部７側のヒューズ６を介して大面積電極列領域Ａ１に接続され、かつ絶縁マージン８側のヒューズ６を介して大面積電極列領域Ａ２に接続されている。また、小面積電極列領域Ｂ２における分割電極５は、電極引き出し接続部７側のヒューズ６を介して大面積電極列領域Ａ２に接続されている。
【００２０】
このような構成の金属化フィルム１が巻回または積層されて金属化フィルム多層体（断面小判状の柱状体）が構成され、この金属化フィルム多層体の両端面に電極引き出し部（メタリコン）が接続され、金属化フィルムコンデンサ素子が構成される（例えば特許文献２参照）。
【００２１】
かかる構成のコンデンサ素子用の金属化フィルム１では、例えば小面積電極列領域Ｂ１における分割電極５で絶縁破壊を起こした場合、両側のヒューズ６，６を介して大面積電極列領域Ａ１，Ａ２から絶縁破壊を起こした分割電極５に大電流が流れ込む。これにより、両側のヒューズ６，６が動作（蒸着金属が飛散）して、絶縁破壊を起こした分割電極５が大面積電極列領域Ａ１，Ａ２から切り離される。したがって、このコンデンサ素子用の金属化フィルム１によれば、高い安全性を確保することができる。
【先行技術文献】
【特許文献】
【００２２】
【特許文献１】特開２００５−１２０８２号公報
【特許文献２】特開２０１０−１８２８４８号公報
【特許文献３】特開平１１−１４４９９５号公報
【発明の概要】
【発明が解決しようとする課題】
【００２３】
特許文献２に示す構成において、さらなる耐電圧性能の向上のために分割電極を小面積化するに当たり、フィルム幅方向での大面積電極列領域・小面積電極列領域のセットの繰り返し回数を増やすことが考えられている。図１０は図８に示した従来例において改良案として提案された金属化フィルムの構成を示す平面図である。大面積電極列領域・小面積電極列領域のセットの数を２セットから３セットへと増やすことによって分割電極を小面積化している。
【００２４】
しかし、分割電極を小さくすることは、分割電極どうしを区画する絶縁スリット（金属非蒸着エリア）の数・面積が増加することになるため、有効電極面積比率（任意のフィルム面積に対する金属蒸着面積の比率）が小さくなり、コンデンサの小型化を阻害することになる。
【００２５】
ところで、絶縁スリットの線幅は、電圧印加状態におけるクリアリング（絶縁破壊による金属蒸着膜の蒸発飛散・消失）の発生を伴うヒューズ動作電極とクリアリング未発生電極（ヒューズ未動作）との間に発生する電位差に対する必要な絶縁距離により設計される。有効電極面積比率の減少を抑制するためには、絶縁スリットの線幅はなるべく狭幅化することが望ましい。しかし、狭幅化の結果として絶縁距離が不足して前記の２電極間で放電が発生すると、クリアリング未発生電極に電流が流れ込み、ヒューズ動作が起こってしまう。つまり、クリアリングの発生によるヒューズ動作により、隣接するクリアリング未発生電極に不測のヒューズ動作を引き起こし、それが波及的に次々と連続し、分割電極群の連鎖破壊を招来してしまうおそれがある（連鎖的ヒューズ動作）。
【００２６】
また、絶縁スリットの線幅の最適値に関しては、ヒューズ動作電極の残留電位が不明であることから各種実験結果を踏まえて線幅を決定するのではあるが、分割電極間の連鎖破壊の懸念が残るため、より一段と余裕を見た設計をしているのが実情である。つまり、狭幅化には自ずと制限がかかる。
【００２７】
分割電極を小面積化すると絶縁スリットが増加するということを踏まえて絶縁スリットの線幅を狭幅化する場合に、その狭幅化が単純に全分割電極に対して一様なものであると、前述したクリアリング未発生電極の不測のヒューズ動作が引き起こされやすくなる。これが連鎖的に発生した場合、耐電圧性能（コンデンサ素子の寿命性能）と保安性能の両特性ともに低下するだけでなく、不安定にもなる。
【００２８】
以上詳述したように、従来技術では分割電極を小面積化した上で、有効電極面積比率を減少させることなく、かつ分割電極間の連鎖的な絶縁破壊を抑制することはむずかしい。
【００２９】
ちなみに、ＨＶ用コンデンサ（定格電圧７５０ＶＤＣ）の開発パターンで図８の状態から図１０の状態へと小面積化した場合に、絶縁スリットの線幅（０．１５±０．０５ｍｍ）は一様に同一寸法としているが、有効電極面積比率は結果的に９６．７％から９６．２％へと減少した。
【００３０】
なお、上記の問題点は、大面積電極列領域がフィルム長手方向に沿って連続状態で展開する場合だけでなく、大面積電極列領域がフィルム長手方向に沿って相対的な大面積分割状態で展開する場合にもあてはまる。連続状態での展開とは、絶縁スリットが存在せずパターン変化としての仕切りのない一様な領域のことをいい、相対的な大面積分割状態での展開とは、絶縁スリットが適当間隔置きに存在するが、その間隔が小面積電極列領域に比べて大きく、一つ一つの分割電極の面積が相対的により大きいものとなっている領域のことをいう。
【００３１】
本発明は以上のような事情に鑑みて創作したものであり、蒸着電極が大面積電極列領域・小面積電極列領域のセットの繰り返しパターンとされるコンデンサ素子用の金属化フィルムに関して、有効電極面積比率の減少を抑制しながら、分割電極間の連鎖的な絶縁破壊を阻止し、コンデンサ素子の耐電圧性能、保安性能を向上させることを目的としている。
【課題を解決するための手段】
【００３２】
本発明は、次の手段を講じることにより上記の課題を解決する。
【００３３】
本発明によるコンデンサ素子用の金属化フィルムは、
誘電体フィルム長手方向に沿って相対的な小面積分割状態で展開する小面積電極列領域と誘電体フィルム長手方向に沿って連続状態または相対的な大面積分割状態で展開する大面積電極列領域とのセットが誘電体フィルム幅方向に沿って繰り返し配列され、
かつ、前記小面積電極列領域の各分割電極を区画形成して互いに対向する一対の絶縁スリットの端部どうしが互いに近接することで、前記各分割電極の前記誘電体フィルム幅方向における端部は中央部に比べて狭幅に形成され、前記絶縁スリットの端部どうし間に金属蒸着膜によるヒューズが形成され、
前記小面積電極列領域の各分割電極は、前記ヒューズを介する状態で、前記大面積電極列領域が当該小面積電極列領域の前記誘電体フィルム幅方向両側にある状態ではこの両側の大面積電極列領域に対して、また、前記大面積電極列領域が当該小面積電極列領域の前記誘電体フィルム幅方向片側のみにある状態ではその片側の大面積電極列領域に対して、電気的に接続されて蒸着電極が構成され、
この蒸着電極が誘電体フィルムの少なくとも片面に形成され、
前記小面積電極列領域において、前記分割電極を区画する複数の前記絶縁スリットは、その線幅が相対的に狭幅の狭幅絶縁スリットと相対的に広幅の広幅絶縁スリットとの組み合わせであり、
かつ、前記広幅絶縁スリットは、前記小面積電極列領域において前記誘電体フィルム長手方向に沿って隣接する複数の分割電極の集合体を挟むピッチで配列されていることを特徴としている。
【００３４】
本発明においては、有効電極面積比率の減少を抑制するために絶縁スリットの線幅を狭くすることを前提として、その絶縁スリットの線幅寸法を画一的なものにするのではなく、狭幅なものと広幅なものとを混在させることにした。すなわち、狭幅絶縁スリットは有効電極面積比率の減少を抑制するために絶縁スリットの基本タイプ（標準タイプ）とし、残りの広幅絶縁スリットは連鎖的ヒューズ動作を抑制するために形成する。
【００３５】
小面積電極列領域におけるある１つの分割電極でクリアリングが発生し、その分割電極を囲う絶縁スリットの切り目のヒューズが動作したとする。そして、そのヒューズ動作電極と隣接するクリアリング未発生電極との間の絶縁スリットが狭幅絶縁スリットであることから、クリアリング発生電極の残留電位によっては両電極間の電位差に対して絶縁距離が不足するおそれがある。両電極間の電位差に対する絶縁距離の不足により両電極間で放電が発生し、過電流がクリアリング未発生電極に流れ込んでヒューズ動作を起こしたとする。しかし、小面積電極列領域には適当なピッチで広幅絶縁スリットが配置されており、ヒューズ動作電極または不測ヒューズ動作の分割電極と隣接するクリアリング未発生電極との間の絶縁スリットが広幅絶縁スリットであれば、それ以上の不測のヒューズ動作はその広幅絶縁スリットにおいて停止させられる。すなわち、それ以上の連鎖的ヒューズ動作が防止される。
【００３６】
なお、広幅絶縁スリットの配列ピッチについては、連鎖的な不測ヒューズ動作を許容する分割電極数を幾つに設定するかによる。この数は少なくとも２つである（２つ以上）。この数を１つに設定することはない。なぜなら、それは小面積電極列領域におけるすべての絶縁スリットを広幅絶縁スリットにすることであり、それでは有効電極面積比率の減少を招いてしまうからである。
【００３７】
広幅絶縁スリットの配列ピッチを仮に分割電極２つ分とする。その２つの分割電極のうち仮に右側の分割電極がヒューズ動作電極となった場合、その右側に隣接する分割電極に対しては境の絶縁スリット（互いに隣接する分割電極を隔てる絶縁スリット）が広幅絶縁スリットであるため連鎖的ヒューズ動作は発現しない。ヒューズ動作電極の左側に隣接の分割電極に対しては境の絶縁スリットが狭幅絶縁スリットであるため連鎖的ヒューズ動作が引き起こされる可能性があるが、さらにその左側に隣接する分割電極に対しては境の絶縁スリットが広幅絶縁スリットであるためそれ以上の連鎖的ヒューズ動作は発現しない。
【００３８】
また、仮に広幅絶縁スリットの配列ピッチを分割電極３つ分とする。その３つの分割電極のうち仮に右端の分割電極がヒューズ動作電極となった場合、その右側に隣接する分割電極に対しては境の絶縁スリットが広幅絶縁スリットであるため連鎖的ヒューズ動作は発現しない。ヒューズ動作電極の左側２つ分の隣接する分割電極に対しては境の絶縁スリットが狭幅絶縁スリットであるため連鎖的ヒューズ動作が引き起こされる可能性があるが、さらにその左側３つ目の分割電極に対しては境の絶縁スリットが広幅絶縁スリットであるためそれ以上の連鎖的ヒューズ動作は発現しない。また、３つの分割電極のうち仮に中央の分割電極がヒューズ動作電極となった場合、その左側に隣接する分割電極と右側に隣接する分割電極に対しては境の絶縁スリットが狭幅絶縁スリットであるため連鎖的ヒューズ動作が引き起こされる可能性があるが、さらに隣の隣の２つ分離れた分割電極に対しては境の絶縁スリットが広幅絶縁スリットであるためそれ以上の連鎖的ヒューズ動作は発現しない。広幅絶縁スリットの配列ピッチは分割電極の４つ分あるいはそれ以上としてもよい。その配列ピッチを幾つにするかは、各種の設計条件による。
【００３９】
広幅絶縁スリットの配列ピッチを小さくするほど、狭幅絶縁スリットの分布密度がより小さくなって有効電極面積比率の減少の抑制効果はより小さくなるが、連鎖的な不測ヒューズ動作を許容する分割電極数をより少なくすることができる。逆に、広幅絶縁スリットの配列ピッチを大きくするほど、連鎖的な不測ヒューズ動作を許容する分割電極数がより多くなるが、狭幅絶縁スリットの分布密度がより大きくなって有効電極面積比率をより大きくすることができる。
【００４０】
いずれにしても、本発明の上記構成によれば、蒸着電極が大面積電極列領域・小面積電極列領域のセットの繰り返しパターンとされるコンデンサ素子用の金属化フィルムに関して、線幅を１種類のみに限定している従来技術に比べて、有効電極面積比率の減少を抑制しながら、分割電極間の連鎖的な絶縁破壊を阻止することができる。
【００４１】
なお、上記の構成における好ましい態様としては、前記蒸着電極がアルミニウム、亜鉛またはそれらの合金からなり、電極引き出し接続部の電極厚みが他領域の電極厚みよりも厚肉に構成されている、という態様がある。このように構成すれば、電極引き出し接続部と電極引き出し部との接続信頼性が高いものとなる。
【００４２】
さらに本発明にかかわる金属化フィルムコンデンサは、上記のいずれかのコンデンサ素子用の金属化フィルムを２枚重ね合わせて一対の金属化フィルムを構成した金属化フィルムコンデンサにおいて、前記一対の金属化フィルムのうち一方の金属化フィルムにおける前記大面積電極列領域のすべてが他方の金属化フィルムにおける前記小面積電極列領域に対向する構成となっている。
【発明の効果】
【００４３】
本発明によれば、小面積電極列領域において、クリアリングが発生したヒューズ動作電極からクリアリングが発生していない隣接電極への電流の流れ込み、ひいてはクリアリング未発生電極における不測のヒューズ動作が発生したとしても、適当なピッチで要所要所に配列されている広幅絶縁スリットの存在により、そのような不測のヒューズ動作が連鎖的に進行することを阻止できる。その結果として、コンデンサ素子の耐電圧性能（寿命性能）および保安性能を向上させることができるとともに、コンデンサ素子の動作を安定化することができる。
【図面の簡単な説明】
【００４４】
【図１】本発明の実施例におけるコンデンサ素子用の金属化フィルムの構成を示す平面図
【図２】本発明の実施例におけるコンデンサ素子用の金属化フィルムの構成を示す断面図
【図３】本発明の実施例における金属化フィルムの一部を拡大して示す平面図
【図４】本発明の実施例における重ね合わされた２シートの金属化フィルムを示す平面図
【図５】本発明の実施例にかかわる金属化フィルムを用いたコンデンサ素子の斜視図
【図６】本発明の実施例にかかわる金属化フィルムを用いたコンデンサ素子の動作説明図
【図７】本発明の別の実施例におけるコンデンサ素子用の金属化フィルムの構成を示す平面図
【図８】従来例におけるコンデンサ素子用の金属化フィルムの構成を示す平面図
【図９】従来例における金属化フィルムの一部を拡大して示す平面図
【図１０】従来例において改良案として提案された金属化フィルムの構成を示す平面図
【発明を実施するための形態】
【００４５】
以下、上記構成の本発明のコンデンサ素子用の金属化フィルムにつき、その実施の形態を具体的な実施例のレベルで詳しく説明する。
【００４６】
図１は本発明の実施例におけるコンデンサ素子用の金属化フィルムの構成を示す平面図、図２はその断面図、図３は金属化フィルムの一部を拡大して示す平面図である。
【００４７】
図１および図２において、１は金属化フィルム、２は誘電体フィルム（蒸着電極の一部を剥がした状態を図示）、３はアルミニウム、亜鉛またはそれらの合金などの金属からなる蒸着電極、４は絶縁スリットで、そのうち４ａは狭幅絶縁スリット、４ｂは広幅絶縁スリットである。５は分割電極、６はヒューズ、７は電極引き出し接続部、８は絶縁マージン、Ａ１〜Ａ３は蒸着電極３の一部を構成する大面積電極列領域、Ｂ１〜Ｂ３は蒸着電極３の残りの部分を構成する小面積電極列領域である。金属化フィルム１は、誘電体フィルム２の表面に蒸着電極３をパターン形成したものである。その蒸着電極３は、３列の大面積電極列領域・小面積電極列領域のセット（Ａ１，Ｂ１），（Ａ２，Ｂ２），（Ａ３，Ｂ３）で構成されている。Ａ１は１列目の大面積電極列領域、Ｂ１は１列目の小面積電極列領域であり、これらは１列目の大面積電極列領域・小面積電極列領域のセット（Ａ１，Ｂ１）を構成する。Ａ２は２列目の大面積電極列領域、Ｂ２は２列目の小面積電極列領域であり、これらは２列目の大面積電極列領域・小面積電極列領域のセット（Ａ２，Ｂ２）を構成する。Ａ３は３列目の大面積電極列領域、Ｂ３は３列目の小面積電極列領域であり、これらは３列目の大面積電極列領域・小面積電極列領域のセット（Ａ３，Ｂ３）を構成する。この例では、大面積電極列領域・小面積電極列領域のセットの繰り返し配列は３列となっている。大面積電極列領域Ａ１〜Ａ３と小面積電極列領域Ｂ１〜Ｂ３との違いについては、大面積電極列領域Ａ１〜Ａ３はフィルム長手方向Ｘに沿って相対的に分割の程度が小さい状態（分割された電極面積が大きな状態）で展開する領域であり、小面積電極列領域Ｂ１〜Ｂ３は長さ方向に沿って相対的に分割の程度が大きい状態（分割された電極面積が小さな状態）で展開する領域である。
【００４８】
２列目と３列目の大面積電極列領域Ａ２，Ａ３は同じ構成となっている。１列目の大面積電極列領域Ａ１は、金属化フィルム１のフィルム幅方向Ｙの一方端縁において金属溶射電極（メタリコン）を接続するための電極引き出し接続部７を含んでいる。この電極引き出し接続部７は、誘電体フィルム２のフィルム幅方向Ｙの一方端縁においてフィルム長手方向Ｘに沿って連続的に展開している領域（図１の破線の外側の横方向に細長い導電体領域）であり、１列目の大面積電極列領域Ａ１と一体的に連接されている。図２に示すように、電極引き出し接続部７は、その電極厚みが蒸着電極３の他領域と比べて厚くなっている。そのため、電極引き出し接続部７と電極引き出し部（メタリコン）との接続信頼性が高いものとなっている。この厚肉な電極引出し接続部７のことをヘビーエッジ部と呼び、それ以外の蒸着電極３の薄肉な領域をアクティブ部と呼ぶ。電極引き出し接続部７は、電極引き出し部との接続信頼性を向上させるため、その電極厚みが絶縁マージン８側の蒸着電極と比べて厚くなっていることが好ましい。
【００４９】
１列目と２列目の小面積電極列領域Ｂ１，Ｂ２は同じ構成となっている。これら２つの小面積電極列領域Ｂ１，Ｂ２では、その絶縁スリット４（狭幅絶縁スリット４ａおよび広幅絶縁スリット４ｂ）がいわゆるミュラー・リヤー形に形成されている。すなわち、絶縁スリット４は、所定長さの線分の両端にそれぞれ内向きの矢羽根を有する形状を有している。３列目の小面積電極列領域Ｂ３では、その絶縁スリット４（狭幅絶縁スリット４ａおよび広幅絶縁スリット４ｂ）がＹ字形（ミュラー・リヤー形において一端側の内向きの矢羽根が欠損した形状）に形成されている。この３列目の小面積電極列領域Ｂ３は、その絶縁スリット４が金属化フィルム１のフィルム幅方向Ｙの他方端縁において絶縁マージン８と連接している。この絶縁マージン８は、誘電体フィルム２のフィルム幅方向Ｙの他方端縁においてフィルム長手方向Ｘに連続して展開している横方向に細長い絶縁領域である。その他の構成は１列目ないし２列目と同様である。図３では２列目と３列目の小面積電極列領域Ｂ２，Ｂ３および３列目の大面積電極列領域Ａ３を拡大して示しているが、１列目の小面積電極列領域Ｂ１のパターンは２列目の小面積電極列領域Ｂ２と同様のものとなっている。なお、図３では小面積電極列領域における狭幅絶縁スリット４ａは白色の塗りつぶしで表しているのに対し、広幅絶縁スリット４ｂは黒色の塗りつぶしで強調表示している。
【００５０】
大面積電極列領域Ａｉ（ｉ＝１，２，３）はフィルム長手方向Ｘに沿って連続的に展開している領域である。小面積電極列領域Ｂｉ（ｉ＝１，２，３）は、その基本構成として従来例改良案（図１０参照）と同様に、フィルム長手方向Ｘに所定の間隔で配列されたミュラー・リヤー形またはＹ字形の絶縁スリット４により分割形成された複数の分割電極５を有する領域である。個々の分割電極５は、細長い六角形状または細長い五角形状を呈するものである。そして、大面積電極列領域・小面積電極列領域（Ａｉ，Ｂｉ）のセットがフィルム幅方向Ｙに沿って３セット繰り返し配列されている。また、１列目ないし２列目の小面積電極列領域Ｂ１〜Ｂ２では、その基本構成としての各分割電極５は、フィルム幅方向Ｙの両側で絶縁スリット４の切れ目における金属蒸着膜によるヒューズ６，６を介する状態で、両側の大面積電極列領域Ａｉ，Ａｉ＋１に対して、電気的に接続されている。３列目の小面積電極列領域Ｂ３では、その基本構成としての各分割電極５は、フィルム幅方向Ｙの一側で絶縁スリット４の切れ目における金属蒸着膜によるヒューズ６を介する状態で、その片側にある大面積電極列領域Ａ３に対して、電気的に接続されている。
【００５１】
そして、上記のような大面積電極列領域・小面積電極列領域の３セットからなる蒸着電極３が誘電体フィルム２の少なくとも片面に形成されて金属化フィルム１が構成されている。
【００５２】
小面積電極列領域Ｂ１〜Ｂ３の構成要素である複数の分割電極５はその隣接するものどうしが絶縁スリット４によって区画されているが、本発明実施例の特異な構成として、その複数の絶縁スリット４が、線幅が相対的に狭幅の狭幅絶縁スリット４ａと相対的に広幅の広幅絶縁スリット４ｂとの組み合わせとして構成されている。狭幅絶縁スリット４ａは、その数が広幅絶縁スリット４ｂよりも多くなっている。広幅絶縁スリット４ｂは、小面積電極列領域Ｂ１〜Ｂ３においてフィルム長手方向Ｘに沿って隣接する複数の分割電極５…の集合体を挟むピッチで配列されている。図示例の場合、３つの分割電極５…の集合体を挟むピッチで広幅絶縁スリット４ｂが配列されている。具体的に説明すると、狭幅絶縁スリットを略号<狭幅>で表し、広幅絶縁スリットを略号<広幅>で表すとして、
<広幅><狭幅><狭幅><広幅><狭幅><狭幅><広幅><狭幅><狭幅><広幅>……
のような配列となっている。
【００５３】
上記のように誘電体フィルム２に蒸着電極３が形成されて構成された金属化フィルム１を２シート用意し、図４に示すように、両シートの金属化フィルム１，１どうしを１８０°反転状態で一方の金属化フィルムの電極引き出し部７が他方の金属化フィルムの蒸着電極と重ならないように上下２層に重ね合わせる。上層の金属化フィルム１の側縁に沿う１列目の大面積電極列領域Ａ１に対し、その直下に下層の金属化フィルム１の３列目の小面積電極列領域Ｂ３が対向する。電極引き出し接続部７は絶縁マージン８に対向する。上層の金属化フィルム１における２列目および３列目の大面積電極列領域Ａ２，Ａ３はそれぞれ下層の金属化フィルム１における２列目および１列目の小面積電極列領域Ｂ２，Ｂ１に対向する。また、上層の金属化フィルム１における１列目および２列目の小面積電極列領域Ｂ１，Ｂ２はそれぞれ下層の金属化フィルム１における３列目および２列目の大面積電極列領域Ａ３，Ａ２に対向する。上層の金属化フィルム１の３列目の小面積電極列領域Ｂ３に対し、その直下に下層の金属化フィルム１の側縁の１列目の大面積電極列領域Ａ１が対向している。絶縁マージン８は電極引き出し接続部７に対向する。要するに、一方の金属化フィルムにおける小面積電極列領域は他方の金属化フィルムにおける大面積電極列領域に対向している。
【００５４】
ここで、一方の金属化フィルムにおける大面積電極列領域と他方の金属化フィルムにおける大面積電極列領域とが対向すると短絡破壊するおそれがあるため、一方の金属化フィルムにおける大面積電極列領域のすべてが他方の金属化フィルムにおける小面積電極列領域に対向することが好ましい。
【００５５】
上記のように上層の金属化フィルム１と下層の金属化フィルム１とを重ね合わせた状態で、図５に示すように、巻芯９の外周部に多重に巻回し、さらに最外層に外装フィルム１０を巻回した上でプレスによって図示のように細長小判状に扁平化し（扁平率が０．７以上）、金属化フィルム多層体１１を得る。さらに、金属化フィルム多層体１１の軸方向両端において金属溶射により電極引き出し部（メタリコン）１２，１２が形成され、高扁平の金属化フィルムコンデンサ素子Ｃを得る。電極引き出し部１２，１２は軸方向両側の電極引き出し接続部７，７に電気的に接続される。
【００５６】
なお、上記のように２枚重ねにした長尺な金属化フィルム１，１を巻回する代わりに、２枚重ねの短尺な金属化フィルム１，１を積層するタイプのコンデンサ素子もある。
【００５７】
次に、上記のように構成された金属化フィルムコンデンサの動作を説明する。
【００５８】
図６（ａ）に示すように、任意の小面積電極列領域Ｂｉ（ｉ＝１，２，３のいずれか）において、フィルム長手方向Ｘで隣接する一対の広幅絶縁スリット４ｂ，４ｂで挟まれた３つの分割電極５3 ，５1 ，５2 のうちの中央の分割電極５1 でクリアリング（★印参照）が発生した場合を想定する。そして、その分割電極５1 を囲う２つの狭幅絶縁スリット４ａ，４ａの切り目のヒューズ６1 ，６1 に対して過電流（細線矢印参照）が流入して、図６（ｂ）に示すように、これらのヒューズ６1 ，６1 が動作したとする（☆印参照）。すると、中央に位置するヒューズ動作電極５1 は大面積電極列領域Ａｉ（ｉ＝１，２，３のいずれか）から電気的に切り離される（図６（ｂ）の網かけパターン参照）。
【００５９】
そのヒューズ動作電極５1 と右側に隣接するクリアリング未発生電極５2 （★印参照）との間の絶縁スリットが狭幅絶縁スリット４ａであることから、両電極５1 ，５2 間の電位差に対して絶縁距離が不足する場合には、両電極５1 ，５2 間で放電（図６（ｂ）の両方向矢印参照）が発生し、過電流（細線矢印参照）がクリアリング未発生電極５2 に流れ込んでヒューズ動作を起こす（図６（ｃ）の☆印参照）。そして、右側のヒューズ動作電極５2 は大面積電極列領域Ａｉから電気的に切り離される（図６（ｃ）の網かけパターン参照）。中央のヒューズ動作電極５1 と左側に隣接するクリアリング未発生電極５3 （★印参照）との間の絶縁スリットも狭幅絶縁スリット４ａであることから、両電極５1 ，５3 間の電位差に対して絶縁距離が不足する場合には、両電極５1 ，５3 間で放電（図６（ｃ）の両方向矢印参照）が発生し、過電流（細線矢印参照）がクリアリング未発生電極５3 に流れ込んでヒューズ動作を起こす（図６（ｄ）の☆印参照）。
【００６０】
以上のようにして、互いに隣接する両電極間の電位差に対して絶縁距離が不足する場合には、１つの分割電極のクリアリングに起因して、隣接する分割電極への連鎖的なヒューズ動作が２回発生することになり、２つのフィルム長手方向Ｘに沿って隣接する一対の広幅絶縁スリット４ｂ，４ｂで挟まれた隣接３つの分割電極５3 ，５1 ，５2 がヒューズ動作電極となる（図６（ｄ）の網かけパターン参照）。
【００６１】
上記の説明では最初にヒューズ動作を起こす分割電極を中央の分割電極としたが、それ以外に、３つ並んだ分割電極のうち右側の分割電極が最初にヒューズ動作を起こす場合もあれば、左側の分割電極が最初にヒューズ動作を起こす場合もある。いずれにしても、２回にわたる連鎖的ヒューズ動作を起こした場合には、隣接する一対の広幅絶縁スリット４ｂ，４ｂで挟まれた隣接３つの分割電極５3 ，５1 ，５2 がヒューズ動作電極となり、その後において、それら３つの分割電極５3 ，５1 ，５2 の両サイドには広幅絶縁スリット４ｂ，４ｂが位置しているために、それ以上の連鎖的ヒューズ動作は、その進行が抑え込まれることになる。
【００６２】
大面積電極列領域Ａｉ（ｉ＝１，２…）の構成については、別態様として、図７に示すように構成してもよい。すなわち、フィルム長手方向Ｘに沿って、小面積電極列領域Ｂｉ（ｉ＝１，２…）の分割電極５のピッチよりも大きなピッチで分割されることで、相対的により分割の程度が小さい状態（分割された電極面積が大きい状態）で複数の分割電極５′に区画されている。詳しくは、１列目、２列目および３列目の大面積電極列領域Ａ１，Ａ２，Ａ３は、フィルム幅方向Ｙに伸びる直線状の絶縁スリット４ｃによってフィルム長手方向Ｘで区画されるが、この直線状の絶縁スリット４ｃのピッチは小面積電極列領域Ｂｉにおける絶縁スリット４のピッチよりも大きなものとなっている。ここでは一例として、分割電極５の１２ピッチ分が１ピッチ分の分割電極５′に相当している。直線状の絶縁スリット４ｃは小面積電極列領域Ｂｉにおける広幅絶縁スリット４ｂの中央線分の延長線として形成されている（なお、これのみに限定されない）。直線状の絶縁スリット４ｃの配列は、１列目と２列目とで分割電極５の３ピッチ分ずつずれており、また、２列目と３列目とでも分割電極５の９ピッチ分ずつずれている。結果として、１列目と３列目は同相関係となっている。なお、直線状の絶縁スリット４ｃの配列はこれのみに限定されない。
【００６３】
以上をまとめると、コンデンサ素子用の金属化フィルムに関して、小面積電極列領域において、分割電極を区画する複数の絶縁スリットについて、線幅が相対的に狭幅の狭幅絶縁スリットと相対的に広幅の広幅絶縁スリットとの組み合わせとし、かつ、広幅絶縁スリットが、小面積電極列領域においてフィルム長手方向に沿って隣接する複数の分割電極の集合体を挟むピッチで配列される構成としたので、有効電極面積の減少を抑制しつつ、不測のヒューズ動作が連鎖的に進行することを阻止でき、耐電圧性能、保安性能を向上させることができる。
【００６４】
なお、小面積電極列領域と大面積電極列領域のセットの繰り返し数については、任意の複数列（２セット、３セット、４セット…）を選択することが可能である。また、複数列の小面積電極列領域Ｂｉ（ｉ＝１，２…）における広幅絶縁スリット４ｂ…のフィルム長手方向Ｘでの位相関係については、図示例の同相のほか異相であってもよく、またその位相ずれ量も任意である。また、フィルム長手方向Ｘで隣接する一対の広幅絶縁スリット４ｂ，４ｂ間のピッチにつき、上記実施例では分割電極５の３つ分（<広幅><狭幅><狭幅><広幅><狭幅><狭幅><広幅><狭幅><狭幅><広幅>……）としたが、これ以外に、
<広幅><狭幅><広幅><狭幅><広幅><狭幅><広幅>……
のように分割電極５の２つ分のピッチとしたり、
<広幅><狭幅><狭幅><狭幅><広幅><狭幅><狭幅><狭幅><広幅>……
のように分割電極５の４つ分のピッチとしたり、
<広幅><狭幅><狭幅><狭幅><狭幅><広幅><狭幅><狭幅><狭幅><狭幅><広幅>……
のように分割電極５の５つ分のピッチとするなど、任意のピッチを採用してよい。
【産業上の利用可能性】
【００６５】
本発明は、コンデンサ素子用の金属化フィルムに関して、その耐電圧性能および保安性能を向上させる上で、有効電極面積比率の減少を抑制しながら、分割電極間の連鎖的な絶縁破壊を阻止する技術として有用である。
【符号の説明】
【００６６】
１  金属化フィルム
２  誘電体フィルム
３  蒸着電極
４  絶縁スリット
４ａ  狭幅絶縁スリット
４ｂ  広幅絶縁スリット
５  分割電極
６  ヒューズ
Ａ１〜Ａ３  大面積電極列領域
Ｂ１〜Ｂ３  小面積電極列領域
Ｃ  金属化フィルムコンデンサ
Ｘ  誘電体フィルム長手方向
Ｙ  誘電体フィルム幅方向
【図１】
0006469453.tif 000002
【図２】
0006469453.tif 000003
【図３】
0006469453.tif 000004
【図４】
0006469453.tif 000005
【図５】
0006469453.tif 000006
【図６】
0006469453.tif 000007
【図７】
0006469453.tif 000008
【図８】
0006469453.tif 000009
【図９】
0006469453.tif 000010
【図１０】
0006469453.tif 000011